(57)【要約】【課題】栽培ボックスの水位の高低を簡単に調整でき、さまざまな属性の植物の栽培に有利な、アクアポニックスシステムのサイフォン構造体を提供すること。【解決手段】栽培ボックスの底部に中空の嵌挿部材５１が嵌挿され、嵌挿部材５１の下部に接続管が固定され、接続管が養殖ボックスに連絡され、管体５４の周面下部に複数の径方向穿通溝５４１が設けられ、管体５４の下端が嵌挿部材５１の上端部外周囲に取り付けられて位置決めされ、導流管５５が管体５４の内部に高さ方向へ摺動可能に収容されると共に、導流管５５の下部が嵌挿部材５１内に挿入されて位置決めされ、蓋体５６が管体５４の上面に取り付けられ、管体５４の外周面に調整筒体５７が高さ方向へ摺動可能に被着される。【選択図】図１
0003200508.tif 000002
【実用新案登録請求の範囲】
【請求項１】
養殖ボックス、動力ポンプ、栽培ボックス、連通管、サイフォン構造体から成り、前記動力ポンプが前記養殖ボックス内に設置され、前記連通管の一端が前記動力ポンプに連結され、かつ前記連通管の自由端が前記栽培ボックスに向けられ、サイフォン構造体が前記栽培ボックス内に設置されたアクアポニックスシステムのサイフォン構造体であって、
前記サイフォン構造体が、上端部外周囲に凸縁部を備えた中空の嵌挿部材、ナット部材、接続管、管体、一端に拡大部を備えた導流管、蓋体、調整筒体から構成され、前記嵌挿部材が前記栽培ボックスの底部に嵌挿され、かつ前記嵌挿部材の外周面に第１雄ねじ山部と第２雄ねじ山部が設けられ、前記栽培ボックスの下面側において前記第１雄ねじ山部に前記ナット部材が螺合され、前記第２雄ねじ山部に前記接続管が固定され、前記接続管が前記養殖ボックスに連絡され、前記管体の周面下部に複数の径方向穿通溝が高さ方向に間隔をおいて設けられ、かつ前記管体の下端が前記嵌挿部材の凸縁部位置に取り付けられて位置決めされ、前記導流管が前記管体の内部に高さ方向へ摺動可能に収容されると共に、前記導流管の他端部が前記嵌挿部材内に挿入されて位置決めされ、前記蓋体が前記管体の上面に取り付けられ、かつ前記管体の外周面に前記調整筒体が高さ方向へ摺動可能に被着されることを特徴とする、アクアポニックスシステムのサイフォン構造体。
【請求項２】
前記嵌挿部材の凸縁部の上面に凹段縁が設けられ、前記凹段縁に前記管体が組み込まれて位置決めされることを特徴とする、請求項１に記載のアクアポニックスシステムのサイフォン構造体。
【請求項３】
前記嵌挿部材の内部に複数のＯリングが設置され、前記導流管の外周面に複数の環状溝が設けられ、いずれかの環状溝にＯリングを収容して前記導流管の他端部を位置決めすることを特徴とする、請求項１に記載のアクアポニックスシステムのサイフォン構造体。
【請求項４】
中空の外管を含み、前記外管の周面に複数の径方向穿通溝が設けられ、かつ前記外管が前記管体の外周に被着されることを特徴とする、請求項１に記載のアクアポニックスシステムのサイフォン構造体。
【考案の詳細な説明】
【技術分野】
【０００１】
本考案は、水位の高低を調整できるアクアポニックスシステムのサイフォン構造体に関する。
【背景技術】
【０００２】
アクアポニックスシステムは、植物、魚、細菌または微生物を基本構成とする生態系であり、主に、魚の排泄物を植物の養分に変えるもので、実際のシステム構造では、養殖の廃水中に細菌による硝化作用を経て植物の生長に必要な養分が発生し、廃水も最終的に植物に必要な養分に変えられて吸収されるため、水質浄化を達成することができる。
したがって、アクアポニックス全体は封鎖された水循環システムであり、養殖において水の交換が不用であり、水耕栽培にも水をやる必要がないという利点を備え、同時に、アクアポニックスシステムは各生物の作用を結合した有機栽培と養殖の技術に属し、人類により自然で健康的な食品を提供することができる。
【０００３】
ところで、現在知られているアクアポニックスシステムは、いずれも汲み上げポンプを利用して抽取水槽中の水と排泄物を吸い上げ、植物栽培ボックスに提供し、続いて植物栽培ボックスに設置されたサイフォン構造体により水を輸送して水槽に戻しているが、これら従来のアクアポニックスシステムに用いられているサイフォン構造体は、水位の高低調整ができず、栽培されている植物が長時間水中に浸漬されて腐ってしまうことがよくある。
【考案の概要】
【考案が解決しようとする課題】
【０００４】
本考案が解決しようとする課題は、上述の問題を解決し、栽培ボックスの水位の高低を調整でき、さまざまな属性の植物の栽培に有利であり、かつ水位調整が簡単で便利な、アクアポニックスシステムのサイフォン構造体を提供することにある。
【課題を解決するための手段】
【０００５】
本考案は、養殖ボックス、動力ポンプ、栽培ボックス、連通管、サイフォン構造体から成り、前記動力ポンプが前記養殖ボックス内に設置され、前記連通管の一端が前記動力ポンプに連結され、かつ前記連通管の自由端が前記栽培ボックスに向けられ、サイフォン構造体が前記栽培ボックス内に設置されたアクアポニックスシステムのサイフォン構造体に関し、上端部外周囲に凸縁部を備えた中空の嵌挿部材、ナット部材、接続管、管体、一端に拡大部を備えた導流管、蓋体、調整筒体から構成され、前記嵌挿部材が前記栽培ボックスの底部に嵌挿され、かつ前記嵌挿部材の外周面に第１雄ねじ山部と第２雄ねじ山部が設けられ、前記栽培ボックスの下面側において前記第１雄ねじ山部に前記ナット部材が螺合され、前記第２雄ねじ山部に前記接続管が固定され、前記接続管が前記養殖ボックスに連絡され、前記管体の周面下部に複数の径方向穿通溝が高さ方向に間隔をおいて設けられ、かつ前記管体の下端が前記嵌挿部材の凸縁部位置に取り付けられて位置決めされ、前記導流管が前記管体の内部に高さ方向へ摺動可能に収容されると共に、前記導流管の他端部が前記嵌挿部材内に挿入されて位置決めされ、前記蓋体が前記管体の上面に取り付けられ、かつ前記管体の外周面に前記調整筒体が高さ方向へ摺動可能に被着される。
【０００６】
前記嵌挿部材の凸縁部上面に凹段縁が設けられ、前記凹段縁に前記管体が組み込まれて位置決めされることがある。
前記嵌挿部材の内部に複数のＯリングが設置され、前記導流管の外周面に複数の環状溝が設けられ、いずれかの環状溝にＯリングを収容して前記導流管の他端部を位置決めしてもよい。
中空の外管を含み、前記外管の周面に複数の径方向穿通溝が設けられ、かつ前記外管が前記管体の外周に被着されることがある。
【考案の効果】
【０００７】
本考案によれば、養殖において水の交換が不用であり、水耕栽培にも水をやる必要がなく、しかも、調整筒体を高さ方向に摺動させるか、導流管を高さ方向に摺動させるだけで、栽培ボックスの水位を簡単に調整できるので、様々な属性の植物を栽培し易い。
【図面の簡単な説明】
【０００８】
【図１】本考案の実施例を示すアクアポニックスシステムのサイフォン構造体の分解斜視図である。
【図２】本考案の実施例を示すアクアポニックスシステムのサイフォン構造体の斜視図である。
【図３】本考案の実施例に係るアクアポニックスシステムの概略断面図である。
【図４】本考案の実施例に係るアクアポニックスシステムの要部拡大断面図である。
【図５】本考案の実施例に係るアクアポニックスシステムの第一の水位調整動作を示す断面図である。
【図６】本考案の実施例に係るアクアポニックスシステムの第二の水位調整動作を示す断面図である。
【図７】本考案の別の使用例を示すアクアポニックスシステムの概略断面図である。
【考案を実施するための形態】
【０００９】
以下、本考案の実施例を図面に基づいて詳細に説明する。
図３に示すように、本考案のサイフォン構造体５０は、魚類生物を養殖できる養殖ボックス１０、動力ポンプ２０、植物の水耕栽培ができる栽培ボックス３０、連通管４０、サイフォン構造体５０から成るアクアポニックスシステムに設置される。
養殖ボックス１０内には動力ポンプ２０が設置され、連通管４０の一端が動力ポンプ２０に連結され、かつ連通管４０の自由端が栽培ボックス３０に向けられ、サイフォン構造体５０が栽培ボックス３０内に設置される。
【００１０】
そして、動力ポンプ２０の作動により、養殖ボックス１０内の水と排泄物を汲み上げ、連通管４０から栽培ボックス３０内に輸送し、かつサイフォン構造体５０を利用して水を輸送し、養殖ボックス１０内に戻す。
このアクアポニックスシステムは、養殖において水の交換が不用であり、水耕栽培にも水をやる必要がない。
この構成は、従来のアクアポニックスシステムと同様である。
【００１１】
本考案のサイフォン構造体５０は、図１〜図４に示すように、上端部外周囲に凸縁部５１１を備えた中空の嵌挿部材５１、ナット部材５２、接続管５３、管体５４、一端に拡大部５５１を備えた導流管５５、蓋体５６、調整筒体５７から構成される。
嵌挿部材５１は栽培ボックス３０の底部に嵌挿される部材であり、嵌挿部材５１の外周面には、第１雄ねじ山部５１２と第２雄ねじ山部５１３が上下に連続して設けられる。第１雄ねじ山部５１２には、栽培ボックス３０の下面側においてナット部材５２が螺合され、第２雄ねじ山部５１３が接続管５３の固定に用いられる。
【００１２】
管体５４の周面下部には複数の径方向穿通溝５４１が高さ方向に間隔をおいて設けられ、かつ管体５４の下端は嵌挿部材５１の凸縁部５１１位置に取り付けられて位置決めされる。嵌挿部材５１の凸縁部５１１の上面に凹段縁５１４が設けられ、凹段縁５１４に管体５４を組み込み、位置決めする。
導流管５５は、管体５４の内部に高さ方向へ摺動可能に収容されると共に、導流管５５の他端部が嵌挿部材５１内に高さ方向へ摺動可能に挿入されて位置決めされる。嵌挿部材５１の内部に複数のＯリング５１５が高さ方向に間隔をおいて設置され、導流管５５の外周囲に複数の環状溝５５２が高さ方向に間隔をおいて設けられ、いずれかの環状溝５５２にＯリング５１５を収容して位置決めする。
【００１３】
蓋体５６は管体５４の上面に取り付けられる。また、管体５４の外周面に調整筒体５７が高さ方向へ摺動可能に被着され、管体５４に対して調整筒体５７の高低位置調整を行うことができる。
さらに、中空の外管５８を含むことができる。外管５８の周面には複数の径方向穿通溝５８１が設けられ、かつ外管５８が管体５４の外周に被着される（図７参照）。
【００１４】
本考案のサイフォン構造体５０では、管体５４の周面下部に複数の径方向穿通溝５４１が設けられ、かつ管体５４の外周面に調整筒体５７が高低位置調整可能に被着されているので、調整筒体５７で管体５４の穿通溝５４１を遮蔽して、管体５４内に進入する水位の高低を調整できる（図４と図５参照）。
管体５４内に進入した水はサイフォンの作用で、導流管５５の拡大部５５１から進入し、接続管５３から養殖ボックス１０内に流入する。
【００１５】
また、使用者は導流管５５の高さ調整を行うことができる。即ち、導流管５５を直接上に引くか下に押すことにより、導流管５５の異なる高さの環状溝５５２と嵌挿部材５１内部のＯリング５１５を係合して位置決めし（図６参照）、栽培ボックス３０の水位の高低を調整することができる。
これは異なる属性の植物の栽培に有利であり、全体の調整方法が簡単、便利で、非常に実用性が高い。
【００１６】
なお、図７に示すように、栽培ボックス３０内に礫石または大粒の発泡煉石を入れることもできる。また、管体５４の外周囲に、複数の径方向穿通溝５８１を備えた中空の外管５８を被着してある。
このようにすると、異なる種類の植物を栽培することができ、また前述の水位調整効果も達せられ、非常に実用性が高い。
【００１７】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１８】
１０      養殖ボックス
２０      動力ポンプ
３０      栽培ボックス
４０      連通管
５０      サイフォン構造体
５１      嵌挿部材        
５１１    凸縁部
５１２    第１雄ねじ山部
５１３    第２雄ねじ山部
５１４    凹段縁
５１５    Ｏリング
５２      ナット部材
５３      接続管
５４      管体
５４１    穿通溝
５５      導流管
５５１    拡大部
５５２    環状溝
５６      蓋体
５７      調整筒体
５８      外管
５８１    穿通溝
【図１】
0003200508.tif 000003
【図２】
0003200508.tif 000004
【図３】
0003200508.tif 000005
【図４】
0003200508.tif 000006
【図５】
0003200508.tif 000007
【図６】
0003200508.tif 000008
【図７】
0003200508.tif 000009